(57)【要約】【課題】前腕部分を冷やすことなく読書や、その他の所用を行うことができると共に、使い勝手が良好な掛毛布を提供する。【解決手段】幅方向に所定間隔を有して一対の孔４が設けられ、人の身体を覆う掛毛布本体２と、該掛毛布本体２の表面側に設けられ、前記孔４を介して前記人の腕が挿通される一対の筒状体３とを備えている。【選択図】図１
0003160223.tif 000002
【実用新案登録請求の範囲】
【請求項１】
幅方向に所定間隔を有して一対の孔が設けられ、人の身体を覆う掛毛布本体と、
該掛毛布本体の表面側に設けられ、前記孔を介して前記人の腕が挿通される一対の筒状体と、を備えていることを特徴とする掛毛布。
【請求項２】
前記筒状体の先端側内周部を前記人の手首に圧着させ得るように、前記先端側内周部には径方向に拡縮する拡縮手段が設けられている請求項１記載の掛毛布。
【請求項３】
前記人の身体は、仰向け又は横向きの横臥状態にある請求項１又は２記載の掛毛布。
【考案の詳細な説明】
【技術分野】
【０００１】
本考案は、身体の上から掛けて保温を図るために使用される寝具としての掛毛布に関するものである。
【背景技術】
【０００２】
一般に、この種の掛毛布は、就寝時等において身体を保温するという本来的な機能を有しており、コンパクトに折り畳むことのできる手軽な寝具として、従来より幅広く使用されている。また、近年においては、その他の機能を備えさせた種々の掛毛布も開発されるに至っており、例えば次に示すようなものが存在している。
【０００３】
すなわち、この従来の掛毛布は、図１０（ａ）に示すように、長手方向の一端側中央部に線状の孔２１が複数条形成されると共に、各孔２１にスライドファスナー２２が開閉自在に設けられたものである。これによると、同図（ｂ）に示すように、開放された孔２１、２１から両腕２３、２３を外部に出すことが可能であるために、使用者の肩部分を掛毛布２０から外部に露出させることなく、例えば両手で書物２４を支持しつつ読書をしたり、その他の所用を行うことができるという利点がある。なお、就寝時等には、孔２１はスライドファスナー２２により閉塞されるために、孔２１を介して外気が掛毛布２０の裏面側に侵入することはない。
【先行技術文献】
【特許文献】
【０００４】
【特許文献１】実開平３−７８４６９号公報
【考案の概要】
【考案が解決しようとする課題】
【０００５】
しかしながら、上記従来の掛毛布２０は、読書等をするに際して前腕部分が掛毛布２０から外部に露出されるために、この前腕部分が外気によって冷やされてしまうという大なる問題点を有していた。このため、室内温度によっては長時間に渡って読書等をすることが困難になる場合があった。
【０００６】
また、読書等の前後において、その都度スライドファスナー２２を開閉する操作が必要であるために、使用上手間を要するという難点も有していた。
【０００７】
さらに、かかるスライドファスナー２２の開閉操作は、身体の肩部分及び腕部分を外部に露出させた状態で行う必要があるために、折角保温された状態にあった身体を冷やしてしまうという不都合も有していたのである。
【０００８】
本考案は、かかる点に鑑みてなされたものであり、その目的とするところは、前腕部分を冷やすことなく読書や、その他の所用を行うことができると共に、使い勝手が良好な掛毛布を提供することにある。
【課題を解決するための手段】
【０００９】
本考案に係る掛毛布は、幅方向に所定間隔を有して一対の孔が設けられ、人の身体を覆う掛毛布本体と、該掛毛布本体の表面側に設けられ、前記孔を介して前記人の腕が挿通される一対の筒状体とを備えていることを特徴としている。
【００１０】
これによれば、先ず使用者は身体を掛毛布本体によって覆った後、この状態で孔を介して両腕を各筒状体に夫々挿通し、両手を外部に露出させる。これにより、使用者は両手又は片手で書物を支持して読書を行ったり、その他の所用を行うことができる。
【００１１】
この場合、使用者の肩部分は掛毛布本体に覆われているために、肩部分が外気によって冷さえるようなことはない。また、前腕部分は筒状体内に収められているために、前腕部分についての保温も適切に図られることになる。これによると、使用者は長時間に渡る読書等も無理なく、良好に行うことが可能になる。
【００１２】
さらに、読書等の後においては、前腕部分は筒状体に収めた状態で就寝しても構わないが、通常は筒状体から腕を離脱して掛毛布本体内に収めた状態で就寝することになる。この場合、孔は筒状体により自然に閉塞される状態になるので、使用者は孔を閉塞するための操作は不要である。従って、筒状体を介して孔から外気が掛毛布本体の裏面側に侵入するようなことはないために、良好な保温性を維持することができる。
【００１３】
また、前記筒状体の先端側内周部を前記人の手首に圧着させ得るように、前記先端側内周部には径方向に拡縮する拡縮手段を設けてもよい。
【００１４】
この場合、拡縮手段は、筒状体に挿通された手の通過によって拡径した後に縮径して、筒状体の先端側内周部が手首部分に圧着されることになる。これにより、筒状体から掛毛布本体の裏面側への外気の侵入が適切に阻止されるために、身体の良好な保温状態を維持しつつ読書等を行うことが可能になる。
【００１５】
また、本考案に係る掛毛布は、人の身体が仰向け又は横向きの横臥状態の何れの場合においても使用可能である。
【００１６】
これによると、使用者は仰向け又は横向きの何れかの横臥状態を選択して、読書等の所用を長時間に渡って行うことが可能になる。
【００１７】
さらに、本考案に係る掛毛布は、全体が非常に簡易な構成からなるために、その製作も容易に且つ安価に行える。
【考案の効果】
【００１８】
本考案によれば、前腕部分を冷やすことなく読書や、その他の所用を行うことができると共に、使い勝手が良好な掛毛布を得ることができる。
【図面の簡単な説明】
【００１９】
【図１】本考案の一実施形態を示す掛毛布の表面図である。
【図２】同表面側の斜視図である。
【図３】（ａ）は図１のＡ−Ａ線断面図で、（ｂ）は（ａ）の（イ）の部分の拡大断面図で、（ｃ）は（ａ）の（ロ）の部分の拡大断面図である。
【図４】本考案の一実施形態を示す掛毛布の裏面図である。
【図５】同裏面側を示す斜視図である。
【図６】（ａ）は図４の（イ）の部分の拡大裏面図であり、（ｂ）は（ａ）のＡ−Ａ線断面図で、（ｃ）は（ａ）のＢ−Ｂ線断面図である。
【図７】（ａ）は図４の（ロ）の部分の拡大表面図で、（ｂ）は（ａ）のＡ−Ａ線断面図である。
【図８】同掛毛布の使用状態を示す斜視図である。
【図９】他の実施形態を示す掛毛布の表面図である。
【図１０】（ａ）及び（ｂ）は特許文献１に係る掛毛布の使用状態を示す斜視図である。
【考案を実施するための最良の形態】
【００２０】
以下、本考案に係る掛毛布の一実施形態について、図面に従って説明する。掛毛布１は、図１〜図５に示すように、平面略長方形状に形成された掛毛布本体２と、掛毛布本体２の長手方向の一端部側に設けられる一対の筒状体３とを備えている。掛毛布１の各部は、例えば純毛、綿、アクリル繊毛、シルク等の繊維素材からなる布により構成されている。但し、掛毛布１の具体的な素材や形状等は、決してこれらに限定されるものではなく、適宜変更が可能であることは言う迄もない。
【００２１】
掛毛布本体２の外周縁部は、図６及び図７に示すように、へりを折り返して縫製がなされている。各筒状体３は略円筒状に形成されており、幅方向に所定間隔を有して設けられている。各筒状体３の基端部は、図３（ａ）及び（ｂ）に示すように、掛毛布本体２に設けられた一対の孔４の内周縁部に夫々縫製されており、筒状体３及び孔４を介して掛毛布本体２の表裏が連通されることになる。なお、本実施形態における孔４は略円形に形成しているが、その具体的な形状は問うものではなく、例えば線状や略矩形状等に形成しても構わない。筒状体３の先端部は、同図（ａ）及び（ｃ）に示すように、へりを折り返して縫製がなされている。
【００２２】
本実施形態に係る掛毛布１は、以上のような構成からなっている。かかる掛毛布１は、例えば図８に示すように、仰向けの横臥状態で読書や、その他の所用を行う場合において使用される。以下、その一使用例について、図面に基づいて説明する。
【００２３】
先ず、使用者は身体を掛毛布本体２によって覆った後、この状態で孔４を介して両腕を各筒状体３に夫々挿通して、両手を外部に露出させる。これにより、使用者は両手又は片手１０で書物１１を支持しつつ読書を行ったり、その他の所用を行うことができる。
【００２４】
この場合、使用者の肩部分は掛毛布本体２に覆われているために、肩部分が外気によって冷さえるようなことはない。また、前腕部分は筒状体３内に収められているために、前腕部分についての保温も適切に図られることになる。これによると、使用者は長時間に渡る読書等も無理なく、良好に行うことが可能になる。
【００２５】
さらに、読書等の後においては、前腕部分は筒状体３に収めた状態で就寝しても構わないが、通常は筒状体３から腕を離脱して掛毛布本体２内に収めた状態で就寝することになる。この場合、孔４は筒状体３により自然に閉塞される状態になるので、使用者は孔４を閉塞するための操作は不要である。従って、筒状体３を介して孔４から外気が掛毛布本体２の裏面側に侵入するようなことはないために、良好な保温性を維持することができる。
【００２６】
さらに、本実施形態に係る掛毛布１は、全体が非常に簡易な構成からなるために、その製作も容易に且つ安価に行えるという実用的な利点も有している。
【００２７】
なお、上記実施形態においては、筒状体３を略円筒状に形成したが、その具体的な形状はこれに限定されるものではなく、例えば孔４の形状やその他デザイン面等を考慮して適宜変更が可能である。
【００２８】
また、筒状体３の先端側内周部には、径方向に拡縮する拡縮手段を設けるようにしてもよい。例えば、図９に示すように、筒状体３の先端部分に拡縮手段としてのゴム輪１２等を周方向に内装するのである。この場合、ゴム輪１２は手１０の通過によって拡径した後に縮径し、筒状体３の先端側内周部が腕の手首部分に圧着されることになる。これにより、筒状体３から掛毛布本体２の裏面側への外気の侵入が適切に阻止される結果、身体の良好な保温状態で読書等を行うことができる。
【００２９】
また、本考案に係る掛毛布１は、上記実施形態の如き仰向けの横臥状態だけではなく、横向きの横臥状態においても使用可能である。
【００３０】
その他、掛毛布本体２の構造等の具体的な構成も、本考案が意図する範囲内において任意に設計変更自在である。
【符号の説明】
【００３１】
１    掛毛布
２    掛毛布本体
３    筒状体
４    孔
１２    拡縮手段（ゴム輪）
【図１】
0003160223.tif 000003
【図２】
0003160223.tif 000004
【図３】
0003160223.tif 000005
【図４】
0003160223.tif 000006
【図５】
0003160223.tif 000007
【図６】
0003160223.tif 000008
【図７】
0003160223.tif 000009
【図８】
0003160223.tif 000010
【図９】
0003160223.tif 000011
【図１０】
0003160223.tif 000012